【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
骨移植片封じ込めデバイスであって、
第１端から第２端まで長手方向に延在する本体であって、前記本体は標的の骨の外表面に対応するような大きさ及び形状を有するストラットフレームワークによって画定され、前記ストラットフレームワークは骨移植片材料を受容するように構成された内部空間を画定する、本体と、
前記本体の外部から延在する第１の把持構造体及び第２の把持構造体であって、前記第１の把持構造体及び前記第２の把持構造体は、骨固定プレートの外部の一部分の周りに延在し、それらの間に前記骨固定プレートを受容するように構成され、前記骨固定プレートの前記外部は、所望の構成では前記本体と向かい合う、前記骨固定プレートの内表面の反対側にある、前記骨固定プレートの表面である、第１の把持構造体及び第２の把持構造体と、を備える、骨移植片封じ込めデバイス。
【請求項２】
前記ストラットフレームワークは、互いに交差する、複数の第１のストラットと複数の第２のストラットと、を備える、請求項１に記載のデバイス。
【請求項３】
前記複数の第１のストラットは前記本体の長さに沿って延在し、前記複数の第２のストラットは前記複数の第１のストラットの横断方向に延在する、請求項２に記載のデバイス。
【請求項４】
前記本体の内部から前記内部空間まで横方向に延在する複数の内側ストラットを更に備える、請求項１に記載のデバイス。
【請求項５】
前記本体は、その長さに沿って延在する中実部分を含み、前記中実部分は、前記中実部分に沿って延在する割れ目を含み、前記割れ目の縁部は、互いに接近及び離間することができ、それぞれ、前記本体を閉じ、かつ開く、請求項１に記載のデバイス。
【請求項６】
前記割れ目は、前記中実部分に沿って揺動パターンにて延在する、請求項５に記載のデバイス。
【請求項７】
前記中実部分を貫通する複数の穴を更に含み、前記複数の穴は、前記中実部分の長さに沿って、前記割れ目の交互に対向する側にて延在する、請求項５に記載のデバイス。
【請求項８】
前記複数の穴は、前記割れ目の揺動パターンの山及び谷にわたって延在する、請求項７に記載のデバイス。
【請求項９】
前記第１及び第２の把持構造体のそれぞれは、長手方向のストラットと、前記長手方向のストラットを前記本体に連結する複数の湾曲ストラットと、を備える、請求項１に記載のデバイス。
【請求項１０】
前記本体は、下顎骨の分離された２つの部分の間に受容される大きさ及び形状を有する、請求項１に記載のデバイス。
【請求項１１】
骨移植片システムであって、
移植片封じ込めデバイスであって、第１端から第２端まで長手方向に延在して標的の骨の外表面に対応する大きさ及び形状を有する本体であって、前記本体は骨移植片材料を受容するように構成された内部空間を有するストラットフレームワークによって画定されている、本体と、前記本体の外部から延在する第１の把持構造体及び第２の把持構造体と、を含む、移植片封じ込めデバイスと、
前記第１の把持構造体と前記第２の把持構造体との間で受容される大きさ及び形状を有する固定プレートであって、前記固定プレートは、第１端から第２端まで長手方向に延在し、前記固定プレートを貫通する複数の骨固定要素受容穴を含み、前記固定プレートは、所望の構成では前記本体と向かい合う、前記固定プレートの内表面の反対側にある、前記固定プレートの表面を含む、外部を含み、前記第１の把持構造体及び前記第２の把持構造体は、前記固定プレートの前記外部の一部分の周りに延在するように構成されている、固定プレートと、を備える、骨移植片システム。
【請求項１２】
前記ストラットフレームワークは、前記本体の長さに沿って延在する複数の第１のストラットと、前記複数の第１のストラットの横断方向に延在する複数の第２のストラットと、を含む、請求項１１に記載のシステム。
【請求項１３】
前記ストラットフレームワークは、前記本体の内部から前記内部空間まで横方向に延在する複数の内側ストラットを含む、請求項１１に記載のシステム。
【請求項１４】
前記移植片封じ込めデバイスの前記本体は、その長さに沿って延在する中実部分を含み、前記中実部分は、前記中実部分に沿って延在する割れ目を含み、前記割れ目の縁部は、互いに接近及び離間することができ、それぞれ、前記本体を閉じ、かつ開く、請求項１１に記載のシステム。
【請求項１５】
前記移植片封じ込めデバイスは、中実部分を貫通する複数の穴を更に含む、請求項１１に記載のシステム。
【請求項１６】
前記固定プレートが所望の位置にて前記第１の把持構造体と前記第２の把持構造体との間に受容されると、前記固定プレートの前記骨固定要素受容穴のそれぞれは、前記移植片封じ込めデバイスの前記複数の穴のうちの対応する１つと位置合わせされる、請求項１５に記載のシステム。
【請求項１７】
前記移植片封じ込めデバイスの前記複数の穴は、割れ目の揺動パターンの山と谷にわたって、前記割れ目の対向する側を通って交互に延在する、請求項１５に記載のシステム。
【請求項１８】
前記第１及び第２の把持構造体のそれぞれは、長手方向のストラットと、前記長手方向のストラットを前記本体に連結する複数の湾曲ストラットと、を備える、請求項１１に記載のシステム。
【請求項１９】
前記本体は、下顎骨の分離された２つの部分の間に受容される大きさ及び形状を有する、請求項１１に記載のシステム。
【請求項２０】
前記固定プレートの長さは、その前記第１端及び前記第２端が前記骨の前記分離された２つの部分にわたって延在し、前記下顎骨の前記分離された２つの部分を前記移植片封じ込めデバイスに位置合わせするように選択される、請求項１９に記載のシステム。
【請求項２１】
前記固定プレートは、前記第１端及び前記第２端のうちの一方に顆頭プロテーゼを含む、請求項１１に記載のシステム。
【手続補正２】
【補正対象書類名】明細書
【補正対象項目名】０００９
【補正方法】変更
【補正の内容】
【０００９】
本体１０４は、本体部１０４の長さに沿って延在する中実（非メッシュ）部分１２２を更に含んでもよい。この実施形態では、移植片封じ込めデバイス１０２が下顎骨の２つの分離された部分の間の標的領域内に配置されるとき、中実部分１２２は、下顎骨の外表面（例えば、前面）に沿って延在する。本体１０４の第１端１１２から第２端１１４まで、割れ目１２４が中実部分１２２の長さに沿って延在し、割れ目１２４を介して移植片封じ込めデバイス１０２を開くことができるようになっている。換言すれば、下顎骨の標的領域内に移植片封じ込めデバイスを配置する前に、移植片封じ込めデバイス１０２を割れ目１２４で開くことによって、割れ目１２４を画定する縁部１２６を相互に分離させて、移植片材料を本体１０４の内部に充填できるようにしてもよい。具体的な一実施形態では、割れ目１２４は、本体１０４の長さに沿って波状（例えば、揺動状）の形態で延在することができる。しかしながら、当業者であれば、割れ目１２４は、本体１０４が充填用に開くこと、及びその中で移植片材料を保持するために閉じることを可能としさえすれば、本体１０４の長さに沿って多くのパターン及び構成のいずれかにて延在してもよいことを理解するであろう。第１及び第２の把持構造体１０６、１０８が中実部分１２２の対向する側から延在することにより、割れ目１２４の縁部１２６が移植片封じ込めデバイス１０２を閉じるように合わされたときに、固定プレート１１０が、第１の把持構造体１０６と第２の把持構造体１０８との間に、中実部分１２２及び下顎骨の２つの分離された部分に沿って把持されて、下顎骨と移植片封じ込めデバイス１０２とが位置合わせされる。